(57)【要約】【課題】コネクタ全体の抵抗値を抑えつつ大電流を流す電源接続機能と共に、接続対象物のハウジング内での仮固定を可能にする固定機能を備えた電源コンタクトを備えることで、ダウンサイジングを達成する。【解決手段】接続対象物(F)と嵌合するコネクタ(100)は、接続対象物用の嵌合口(11)を有するハウジング(1)と、ハウジングに並列配置状態で保持される信号コンタクト(2,3)と、信号コンタクトに対して押圧可能な押圧部材(6)とを備え、ハウジング(1)の、信号コンタクト両端側位置に、信号コンタクトと並んで保持され、厚さ寸法が、信号コンタクトより大きく、押圧部材によって信号コンタクトと共に押圧される、電源接続機能を備える電源コンタクト(4,5)を備え、電源コンタクトは、電源接続機能だけでなく、信号コンタクトに対する接続対象物の正規挿入位置での仮固定と、押圧部材による押圧状態での接続対象物の挟持固定との機能を備える固定機能付き電源コンタクト(4)を有する。【選択図】  図１
2018137246.tif 000002
【特許請求の範囲】
【請求項１】
接続対象物と着脱自在に嵌合するコネクタであって、
前記接続対象物が挿抜される嵌合口を有するハウジングと、
該ハウジングに並列配置状態で保持される所要数の信号コンタクト（ＳＣ）と、
該信号コンタクト（ＳＣ）に対して押圧可能な形状部位を有する押圧部材と、
を備えるコネクタにおいて、
前記ハウジングの、前記所要数の信号コンタクト（ＳＣ）を挟む両端側位置に、前記信号コンタクト（ＳＣ）と並んで保持され、厚さ寸法が、前記信号コンタクト（ＳＣ）の厚さ寸法よりも大きく、前記押圧部材によって前記信号コンタクト（ＳＣ）と共に一緒に押圧されるように構成され、電源接続機能を備える少なくとも１対の電源コンタクト（ＰＣ）をさらに備え、
該少なくとも１対の電源コンタクト（ＰＣ）は、前記電源接続機能だけではなく、前記信号コンタクト（ＳＣ）に対する前記接続対象物の正規挿入位置での仮固定と、前記押圧部材で押圧した状態での前記接続対象物の挟持固定との機能をも兼ね備える固定機能付き電源コンタクト（ＬＰＣ）を有することを特徴とするコネクタ。
【請求項２】
前記少なくとも１対の電源コンタクト（ＰＣ）は、
前記１対の固定機能付き電源コンタクト（ＬＰＣ）と前記所要数の信号コンタクト（ＳＣ）との間に、又は前記固定機能付き電源コンタクト（ＬＰＣ）の外側にそれぞれ位置する少なくとも１対の単純電源コンタクト（ＮＰＣ）とをさらに有することを特徴とする請求項１に記載のコネクタ。
【請求項３】
前記固定機能付き電源コンタクト（ＬＰＣ）は、
前記接続対象物の両面のうち、片面と接触する接触部（ＬＰＣ１）と、
挿入された前記接続対象物に形成してなる被係止部に対応する位置に、該被係止部に向かって突出する形状をもつ係止部（ＬＰＣ２）と、
前記接触部（ＬＰＣ１）及び前記係止部（ＬＰＣ２）を連結する連結部（ＬＰＣ５）と、
該連結部（ＬＰＣ５）の一端側から前記嵌合口とは反対側に延在し、前記押圧部材によって押圧される押受部（ＬＰＣ３）と、
前記連結部（ＬＰＣ５）の他端側から前記嵌合口とは反対側に延在し、基板に接続する接続部（ＬＰＣ４）と、
を有することを特徴とする請求項１又は２に記載のコネクタ。
【請求項４】
前記固定機能付き電源コンタクト（ＬＰＣ）の、前記接続部（ＬＰＣ４）と前記連結部（ＬＰＣ５）との間に位置する部分は、幅寸法が前記厚さ寸法以上であることを特徴とする請求項３に記載のコネクタ。
【請求項５】
前記固定機能付き電源コンタクト（ＬＰＣ）は、
前記接続対象物の両面のうち、片面と接触する接触部（ＬＰＣ１）と、
挿入された前記接続対象物に形成してなる被係止部に対応する位置に、該被係止部に向かって突出する形状をもつ係止部（ＬＰＣ２）と、
前記接触部（ＬＰＣ１）及び前記係止部（ＬＰＣ２）を連結する連結部（ＬＰＣ５）と、
該連結部（ＬＰＣ５）の一端側から前記嵌合口とは反対側に延在し、前記押圧部材によって押圧される押受部（ＬＰＣ３）と、
前記連結部（ＬＰＣ５）の他端側から前記嵌合口側に向かって延在し、基板に接続する接続部（ＬＰＣ４）と、
を有することを特徴とする請求項１又は２に記載のコネクタ。
【請求項６】
前記固定機能付き電源コンタクト（ＬＰＣ）は、前記係止部（ＬＰＣ２）と前記連結部（ＬＰＣ５）との間に、前記接触部（ＬＰＣ１）が接触する前記接続対象物の面とは異なる面と接触する対向接触部（ＬＰＣ６）をさらに有することを特徴とする請求項３、４又は５に記載のコネクタ。
【請求項７】
前記押圧部材は、
前記信号コンタクト（ＳＣ）及び前記電源コンタクト（ＰＣ）を押圧せずに前記接続対象物の前記ハウジングへの挿抜を可能にする押圧解除完了位置から、前記信号コンタクト（ＳＣ）及び前記電源コンタクト（ＰＣ）を押圧して、前記正規挿入位置にある前記接続対象物に対する前記信号コンタクト（ＳＣ）及び前記電源コンタクト（ＰＣ）の押圧接触状態を安定保持する押圧完了位置までの回動範囲で回動し、前記接続対象物が前記正規挿入位置において固定されることを特徴とする請求項３から６までのいずれか１項に記載のコネクタ。
【請求項８】
前記固定機能付き電源コンタクト（ＬＰＣ）の前記押受部（ＬＰＣ３）の、前記押圧部材が少なくとも押圧接触する部分が、フラットに形成されていることを特徴とする請求項７に記載のコネクタ。
【請求項９】
前記固定機能付き電源コンタクト（ＬＰＣ）は、前記押受部（ＬＰＣ３）の先端部に、前記押圧部材の押圧による反発力に起因して、前記押圧部材が前記ハウジングの前記嵌合口とは反対側の方向に膨れ移動することを防止する膨れ防止手段をさらに有することを特徴とする請求項７又は８に記載のコネクタ。
【請求項１０】
前記単純電源コンタクト（ＮＰＣ）は、
前記正規挿入位置にある前記接続対象物の両面のうち、片面と接触する接触部（ＮＰＣ１）と、
前記押圧部材によって押圧される押受部（ＮＰＣ２）と、
基板に接続する接続部（ＮＰＣ３）と、
前記接触部（ＮＰＣ１）、前記押受部（ＮＰＣ２）及び前記接続部（ＮＰＣ３）を連結する連結部（ＮＰＣ４）と、
を有し、
前記接触部（ＮＰＣ１）及び前記押受部（ＮＰＣ２）は、前記連結部（ＮＰＣ４）の一端側から互いに反対側に延在し、
前記接続部（ＮＰＣ３）は、前記連結部（ＮＰＣ４）の他端側から前記嵌合口とは反対側に延在していることを特徴とする請求項２に記載のコネクタ。
【請求項１１】
前記単純電源コンタクト（ＮＰＣ）の、前記接続部（ＮＰＣ３）と前記連結部（ＮＰＣ４）との間に位置する部分は、幅寸法が前記厚さ寸法以上であることを特徴とする請求項１０に記載のコネクタ。
【請求項１２】
前記単純電源コンタクト（ＮＰＣ）は、
前記正規挿入位置にある前記接続対象物と接触する接触部（ＮＰＣ１）と、
前記押圧部材によって押圧される押受部（ＮＰＣ２）と、
基板に接続する接続部（ＮＰＣ３）と、
前記接触部（ＮＰＣ１）、前記押受部（ＮＰＣ２）及び前記接続部（ＮＰＣ３）を連結する連結部（ＮＰＣ４）と、
を有し、
前記接触部（ＮＰＣ１）及び前記押受部（ＮＰＣ２）は、前記連結部（ＮＰＣ４）の一端側から互いに反対側に延在し、
前記接触部（ＮＰＣ１）は前記連結部（ＮＰＣ４）の他端側から前記嵌合口側に向かって延在していることを特徴とする請求項２に記載のコネクタ。
【請求項１３】
前記単純電源コンタクト（ＮＰＣ）は、前記接触部（ＮＰＣ１）が接触する前記接続対象物の面とは異なる面と接触する対向接触部（ＮＰＣ５）を有することを特徴とする請求項１０、１１又は１２に記載のコネクタ。
【請求項１４】
前記単純電源コンタクト（ＮＰＣ）の前記押受部（ＮＰＣ２）の、前記押圧部材が少なくとも押圧接触する部分が、フラットに形成されていることを特徴とする請求項１０から１３までのいずれか１項に記載のコネクタ。
【請求項１５】
前記単純電源コンタクト（ＮＰＣ）は、前記押受部（ＮＰＣ２）の先端部に、前記押圧部材の押圧による反発力に起因して、前記押圧部材が前記ハウジングの前記嵌合口とは反対側の方向に膨れ移動することを防止する膨れ防止手段を有することを特徴とする請求項１０から１４までのいずれか１項に記載のコネクタ。
【請求項１６】
前記ハウジングは、該ハウジングの高さ方向に対向する内面に形成され、全ての前記コンタクトを個別に保持する複数本の溝を有することを特徴とする請求項１から１５までのいずれか１項に記載のコネクタ。
【発明の詳細な説明】
【技術分野】
【０００１】
本発明は、携帯電話やノートパソコンやデジタルカメラ等の電子機器に使用されるコネクタに関し、特にフレキシブルプリント基板やフレキシブルフラットケーブルのような接続対象物と接続して大電流を流すことを可能にするコネクタの構造に関するものである。
【背景技術】
【０００２】
接続対象物と着脱自在に嵌合するコネクタとして、ハウジングと、ハウジング内で交互に並列保持されている複数の端子（コンタクト）と、コンタクトの並列方向両端のコンタクトに近接して設けられた金具と、ハウジングに回動自在に支持されている加圧部材（押圧部材）とを有するコネクタが知られている（例えば、特許文献１参照）。
この特許文献１には、電流を流したい場合、複数のコンタクトのうち電流信号を受信する信号コンタクト以外のコンタクトを、電源電流を流すための電源コンタクトとして用いたコネクタの構成が開示されている。さらに、コネクタに比較的大きな電流を流す必要がある場合には、流す電流値に応じて電源コンタクトの数を増やして並列接続させる構成を採用するのが一般的である。
【先行技術文献】
【特許文献】
【０００３】
【特許文献１】特開２０１０−２１２２６５号公報
【発明の概要】
【発明が解決しようとする課題】
【０００４】
しかしながら、コネクタに大電流を流す場合に、並列接続する電源用のコンタクト数を単純に増やすだけの構成では、コネクタが全体的にコンタクトの並列方向に寸法が大きくなり、回路基板上におけるコネクタの占有面積も増加し、コネクタの省スペース化という点において改良の余地があった。
また、単に、信号コンタクトと同じ構成の端子の配設数を、流す電流値に応じて増やして電源コンタクトに転用する構成では、通電可能な電流値を有効に高めることはできず、改善の余地があった。
【０００５】
そこで、本発明の目的は、コネクタに内蔵されるコンタクトの適正化を図って、コネクタ全体の抵抗値を抑えつつ大電流を流す電源接続機能と共に、接続対象物のハウジング内での仮固定を可能にする固定機能を兼備した電源コンタクトを備えることで、ダウンサイジングを達成することができるコネクタを提供することにある。
【課題を解決するための手段】
【０００６】
上記目的を達成するため、本発明の要旨構成は以下の通りである。
【０００７】
（１）接続対象物と着脱自在に嵌合するコネクタであって、前記接続対象物が挿抜される嵌合口を有するハウジングと、該ハウジングに並列配置状態で保持される所要数の信号コンタクト（ＳＣ）と、該信号コンタクト（ＳＣ）に対して押圧可能な形状部位を有する押圧部材と、を備えるコネクタにおいて、前記ハウジングの、前記所要数の信号コンタクト（ＳＣ）を挟む両端側位置に、前記信号コンタクト（ＳＣ）と並んで保持され、厚さ寸法が、前記信号コンタクト（ＳＣ）の厚さ寸法よりも大きく、前記押圧部材によって前記信号コンタクト（ＳＣ）と共に一緒に押圧されるように構成され、電源接続機能を備える少なくとも１対の電源コンタクト（ＰＣ）をさらに備え、該少なくとも１対の電源コンタクト（ＰＣ）は、前記電源接続機能だけではなく、前記信号コンタクト（ＳＣ）に対する前記接続対象物の正規挿入位置での仮固定と、前記押圧部材で押圧した状態での前記接続対象物の挟持固定との機能をも兼ね備える固定機能付き電源コンタクト（ＬＰＣ）を有することを特徴とするコネクタである。
【０００８】
（２）前記少なくとも１対の電源コンタクト（ＰＣ）は、前記１対の固定機能付き電源コンタクト（ＬＰＣ）と前記所要数の信号コンタクト（ＳＣ）との間に、又は前記固定機能付き電源コンタクト（ＬＰＣ）の外側にそれぞれ位置する少なくとも１対の単純電源コンタクト（ＮＰＣ）をさらに有することを特徴とする上記（１）に記載のコネクタである。
【０００９】
（３）前記固定機能付き電源コンタクト（ＬＰＣ）は、前記接続対象物の両面のうち、片面と接触する接触部（ＬＰＣ１）と、挿入された前記接続対象物に形成してなる被係止部に対応する位置に、該被係止部に向かって突出する形状をもつ係止部（ＬＰＣ２）と、前記接触部（ＬＰＣ１）及び前記係止部（ＬＰＣ２）を連結する連結部（ＬＰＣ５）と、該連結部（ＬＰＣ５）の一端側から前記嵌合口とは反対側に延在し、前記押圧部材によって押圧される押受部（ＬＰＣ３）と、前記連結部（ＬＰＣ５）の他端側から前記嵌合口とは反対側に延在し、基板に接続する接続部（ＬＰＣ４）と、を有することを特徴とする上記（１）又は（２）に記載のコネクタである。
【００１０】
（４）前記固定機能付き電源コンタクト（ＬＰＣ）の、前記接続部（ＬＰＣ４）と前記連結部（ＬＰＣ５）との間に位置する部分は、幅寸法が前記厚さ寸法以上であることを特徴とする上記（３）に記載のコネクタである。
【００１１】
（５）前記固定機能付き電源コンタクト（ＬＰＣ）は、前記接続対象物の両面のうち、片面と接触する接触部（ＬＰＣ１）と、挿入された前記接続対象物に形成してなる被係止部に対応する位置に、該被係止部に向かって突出する形状をもつ係止部（ＬＰＣ２）と、前記接触部（ＬＰＣ１）及び前記係止部（ＬＰＣ２）を連結する連結部（ＬＰＣ５）と、該連結部（ＬＰＣ５）の一端側から前記嵌合口とは反対側に延在し、前記押圧部材によって押圧される押受部（ＬＰＣ３）と、前記連結部（ＬＰＣ５）の他端側から前記嵌合口側に向かって延在し、基板に接続する接続部（ＬＰＣ４）と、を有することを特徴とする上記（１）又は（２）に記載のコネクタである。
【００１２】
（６）前記固定機能付き電源コンタクト（ＬＰＣ）は、前記係止部（ＬＰＣ２）と前記連結部（ＬＰＣ５）との間に、前記接触部（ＬＰＣ１）が接触する前記接続対象物の面とは異なる面と接触する対向接触部（ＬＰＣ６）をさらに有することを特徴とする上記（３）、（４）又は（５）に記載のコネクタである。
【００１３】
（７）前記押圧部材は、前記信号コンタクト（ＳＣ）及び前記電源コンタクト（ＰＣ）を押圧せずに前記接続対象物の前記ハウジングへの挿抜を可能にする押圧解除完了位置から、前記信号コンタクト（ＳＣ）及び前記電源コンタクト（ＰＣ）を押圧して、前記正規挿入位置にある前記接続対象物に対する前記信号コンタクト（ＳＣ）及び前記電源コンタクト（ＰＣ）の押圧接触状態を安定保持する押圧完了位置までの回動範囲で回動し、前記接続対象物が前記正規挿入位置において固定されることを特徴とする上記（３）から（６）までのいずれか１つに記載のコネクタである。
【００１４】
（８）前記固定機能付き電源コンタクト（ＬＰＣ）の前記押受部（ＬＰＣ３）の、前記押圧部材が少なくとも押圧接触する部分が、フラットに形成されていることを特徴とする上記（７）に記載のコネクタである。
【００１５】
（９）前記固定機能付き電源コンタクト（ＬＰＣ）は、前記押受部（ＬＰＣ３）の先端部に、前記押圧部材の押圧による反発力に起因して、前記押圧部材が前記ハウジングの前記嵌合口とは反対側の方向に膨れ移動することを防止する膨れ防止手段をさらに有することを特徴とする上記（７）又は（８）に記載のコネクタである。
【００１６】
（１０）前記単純電源コンタクト（ＮＰＣ）は、前記正規挿入位置にある前記接続対象物の両面のうち、片面と接触する接触部（ＮＰＣ１）と、前記押圧部材によって押圧される押受部（ＮＰＣ２）と、基板に接続する接続部（ＮＰＣ３）と、前記接触部（ＮＰＣ１）、前記押受部（ＮＰＣ２）及び前記接続部（ＮＰＣ３）を連結する連結部（ＮＰＣ４）と、を有し、前記接触部（ＮＰＣ１）及び前記押受部（ＮＰＣ２）は、前記連結部（ＮＰＣ４）の一端側から互いに反対側に延在し、前記接続部（ＮＰＣ３）は、前記連結部（ＮＰＣ４）の他端側から前記嵌合口とは反対側に延在していることを特徴とする上記（２）に記載のコネクタである。
【００１７】
（１１）前記単純電源コンタクト（ＮＰＣ）の、前記接続部（ＮＰＣ３）と前記連結部（ＮＰＣ４）との間に位置する部分は、幅寸法が前記厚さ寸法以上であることを特徴とする上記（１０）に記載のコネクタである。
【００１８】
（１２）前記単純電源コンタクト（ＮＰＣ）は、前記正規挿入位置にある前記接続対象物と接触する接触部（ＮＰＣ１）と、前記押圧部材によって押圧される押受部（ＮＰＣ２）と、基板に接続する接続部（ＮＰＣ３）と、前記接触部（ＮＰＣ１）、前記押受部（ＮＰＣ２）及び前記接続部（ＮＰＣ３）を連結する連結部（ＮＰＣ４）と、を有し、前記接触部（ＮＰＣ１）及び前記押受部（ＮＰＣ２）は、前記連結部（ＮＰＣ４）の一端側から互いに反対側に延在し、前記接触部（ＮＰＣ１）は前記連結部（ＮＰＣ４）の他端側から前記嵌合口側に向かって延在していることを特徴とする上記（２）に記載のコネクタである。
【００１９】
（１３）前記単純電源コンタクト（ＮＰＣ）は、前記接触部（ＮＰＣ１）が接触する前記接続対象物の面とは異なる面と接触する対向接触部（ＮＰＣ５）を有することを特徴とする上記（１０）、（１１）又は（１２）に記載のコネクタである。
【００２０】
（１４）前記単純電源コンタクト（ＮＰＣ）の前記押受部（ＮＰＣ２）の、前記押圧部材が少なくとも押圧接触する部分が、フラットに形成されていることを特徴とする上記（１０）から（１３）までのいずれか１つに記載のコネクタである。
【００２１】
（１５）前記単純電源コンタクト（ＮＰＣ）は、前記押受部（ＮＰＣ２）の先端部に、前記押圧部材の押圧による反発力に起因して、前記押圧部材が前記ハウジングの前記嵌合口とは反対側の方向に膨れ移動することを防止する膨れ防止手段を有することを特徴とする上記（１０）から（１４）までのいずれか１つに記載のコネクタである。
【００２２】
（１６）前記ハウジングは、該ハウジングの高さ方向に対向する内面に形成され、全ての前記コンタクトを個別に保持する複数本の溝を有することを特徴とする上記（１）から（１５）までのいずれか１つに記載のコネクタである。
【発明の効果】
【００２３】
本発明に従うコネクタによれば、接続対象物と着脱自在に嵌合するコネクタであって、前記接続対象物が挿抜される嵌合口を有するハウジングと、該ハウジングに並列配置状態で保持される所要数の信号コンタクト（ＳＣ）と、該信号コンタクト（ＳＣ）に対して押圧可能な形状部位を有する押圧部材と、を備えるコネクタにおいて、前記ハウジングの、前記所要数の信号コンタクト（ＳＣ）を挟む両端側位置に、前記信号コンタクト（ＳＣ）と並んで保持され、厚さ寸法が、前記信号コンタクト（ＳＣ）の厚さ寸法よりも大きく、前記押圧部材によって前記信号コンタクト（ＳＣ）と共に一緒に押圧されるように構成され、電源接続機能を備える少なくとも１対の電源コンタクト（ＰＣ）をさらに備え、該少なくとも１対の電源コンタクト（ＰＣ）は、前記電源接続機能だけではなく、前記信号コンタクト（ＳＣ）に対する前記接続対象物の正規挿入位置での仮固定と、前記押圧部材で押圧した状態での前記接続対象物の挟持固定との機能をも兼ね備える固定機能付き電源コンタクト（ＬＰＣ）であることにより、コネクタ内のコンタクトの数を増やすことなく省スペース化を達成して、コネクタ全体の抵抗値を抑えつつも大電流を流すことが可能であると共に、接続対象物の仮固定を可能にするコネクタを提供することができる。
【図面の簡単な説明】
【００２４】
【図１】図１は、本発明のコネクタの斜視図であり、図１（ａ）は、ハウジングの一部を取り除いてコネクタ内部が見えるように示すコネクタの斜視図であり、図１（ｂ）は、図１（ａ）に示すコネクタに接続対象物が挿入された状態を示す斜視図である。
【図２】図２は、ハウジング内に保持された固定機能付き電源コンタクトの断面図であり、図２（ａ）は、押圧部材が押圧解除完了位置にある場合の固定機能付き電源コンタクトの断面図であり、図２（ｂ）は、押圧部材が押圧完了位置にある場合の固定機能付き電源コンタクトの断面図である。
【図３】図３は、固定機能付き電源コンタクトの斜視図であり、図３（ａ）は、第１実施形態の固定機能付き電源コンタクトの斜視図であり、図３（ｂ）は、第２実施形態の固定機能付き電源コンタクトの斜視図である。
【図４】図４は、単純電源コンタクトを示す図であり、図４（ａ）は、ハウジング内に保持された単純電源コンタクトの断面図であり、図４（ｂ）は、単純電源コンタクトの斜視図である。
【図５】図５は、第１信号コンタクトを示す図であり、図５（ａ）は、ハウジング内に保持された第１信号コンタクトの断面図であり、図５（ｂ）は、第１信号コンタクトの斜視図である。
【図６】図６は、第２信号コンタクトを示す図であり、図６（ａ）は、ハウジング内に保持された第２信号コンタクトの断面図であり、図６（ｂ）は、第２信号コンタクトの斜視図である。
【図７】図７は、ハウジングの斜視図である。
【図８】図８は、押圧部材の斜視図である。
【発明を実施するための形態】
【００２５】
次に、本発明に従うコネクタの実施形態について、図面を参照しながら以下で説明する。なお、以下に示す実施形態は一つの例示であり、本発明の範囲において、種々の形態をとりうる。
【００２６】
図１は、本発明のコネクタ１００を斜視的に示し、具体的には、図１（ａ）は、ハウジング１の一部を取り除いてコネクタ内部が見えるようにコネクタ１００を示し、図１（ｂ）は、図１（ａ）に示すコネクタ１００に接続対象物Ｆが挿入された状態を示す。図２は、ハウジング１内に保持された固定機能付き電源コンタクト４を断面にして示し、具体的には、図２（ａ）は、押圧部材６が押圧解除完了位置ＯＰにある場合の固定機能付き電源コンタクト４を示し、図２（ｂ）は、押圧部材６が押圧完了位置ＣＰにある場合の固定機能付き電源コンタクト４を示す。図３は、固定機能付き電源コンタクト４を斜視的に示し、具体的には、図３（ａ）は、第１実施形態の固定機能付き電源コンタクト４を示し、図３（ｂ）は、第２実施形態の固定機能付き電源コンタクト４Ａを示す。図４は、単純電源コンタクト５を示し、具体的には、図４（ａ）は、ハウジング１内に保持された単純電源コンタクト５を断面にして示し、図４（ｂ）は、単純電源コンタクト５を斜視的に示す。図５は、第１信号コンタクト２を示し、具体的には、図５（ａ）は、ハウジング１内に保持された第１信号コンタクト２を断面にして示し、図５（ｂ）は、第１信号コンタクト２を斜視的に示す。図６は、第２信号コンタクト３を示し、具体的には、図６（ａ）は、ハウジング１内に保持された第２信号コンタクト３を示し、図６（ｂ）は、第２信号コンタクト２を斜視的に示す。図７は、ハウジング１を斜視的に示す。図８は、押圧部材６を斜視的に示す。
【００２７】
＜コネクタの構成＞
コネクタ１００は、接続対象物と着脱自在に嵌合するコネクタであって、主に、接続対象物Ｆが挿抜される嵌合口１１を有するハウジング１と、ハウジング１に並列配置状態で保持される所要数の信号コンタクト（ＳＣ）２、３と、信号コンタクト２、３に対して押圧可能な形状を有する押圧部材６と、を備えている。
【００２８】
接続対象物Ｆは、コネクタ１００と着脱可能に嵌合する、例えばフレキシブルプリント基板（ＦＰＣ）、フレキシブルフラットケーブル（ＦＦＣ）又はフレキシブル性を有するカードである。
接続対象物Ｆは、図１（ｂ）に示すように、少なくとも信号コンタクト２、３、電源コンタクト４、５それぞれの接触部と接触するランドＦ２と、このランドＦ２から回路へ繋がるパターンと、接続対象物Ｆの挿入が完了した状態（正規挿入位置）で、接続対象物Ｆが抜けないようにするための、電源コンタクト４、５のうち、コンタクト２、３、４、５の整列（並列）方向において最も外側に配置されている固定機能付き電源コンタクト（ＬＰＣ）４と係合する被係止部Ｆ１とを備えている。
被係止部Ｆ１は、接続対象物Ｆのコネクタ１００への挿抜方向において前側で、挿抜方向に対して横方向両側に設けられている。被係止部Ｆ１の形状としては、後述する固定機能付き電源コンタクト４の係止脚部４２の係止部（ＬＰＣ１）４２ａと係合できる形状であればよく、特に限定されず、例えば、図１（ｂ）に示すように、接続対象物Ｆをその側方から切り欠いた切欠部として形成する他、貫通孔、又は、仕様によっては止め孔として形成することもできる。
【００２９】
ハウジング１は、接続対象物Ｆが挿抜される嵌合口１１を有し、信号コンタクト２、３と、電源コンタクト４、５とを保持する。ハウジング１は電気絶縁性の材料を用いて形成されていればよく、例えばプラスチックによって形成されている。ハウジング１は、公知技術の射出成形によって一部材として製作されている。具体的に、ハウジング１の材質としては、寸法安定性や加工性やコスト等を考慮して適宜選択するが、一般的には例えばポリブチレンテレフタレート（ＰＢＴ）、ポリアミド（６６ＰＡ、４６ＰＡ）、液晶ポリマー（ＬＣＰ）、ポリカーボネート（ＰＣ）、これらの合成材料等を挙げることができる。
【００３０】
信号コンタクト２、３は、ハウジング１に保持されていて、ハウジング１への接続対象物Ｆの挿入が完了して、押圧部材６が押圧解除完了位置ＯＰ（図２（ａ）参照）から押圧完了位置ＣＰ（図２（ｂ）参照）へと移動した場合に、接続対象物ＦのランドＦ２に接触する。信号コンタクト２、３は、２つの異なるタイプであり、具体的には、嵌合口１１の反対側に接続部が位置するタイプ（第１信号コンタクト２）、及び嵌合口１１側に接続部が位置するタイプ（第２信号コンタクト３）である。
図１に示すコンタクト１００においては、第１信号コンタクト２及び第２信号コンタクト３の両方を含んでいて、第１信号コンタクト２及び第２信号コンタクト３は、ハウジング１への挿入方向を変えて、交互に千鳥に配置されている。
なお、コネクタとして、第１及び第２信号コンタクト２、３の少なくとも一方の信号コンタクトを含んでいればよい。
２種類の信号コンタクト２、３の材質としては、バネ性や導電性などが要求されるので、黄銅やベリリウム銅やリン青銅等を挙げることができる。
【００３１】
電源コンタクト４、５は、ハウジング１内でかつ信号コンタクト２、３を挟んだ両端側位置にそれぞれ対をなして保持されている。電源コンタクト４、５は、ハウジング１への接続対象物Ｆの挿入が完了して、押圧部材６が押圧解除完了位置ＯＰから押圧完了位置ＣＰへと移動した場合、少なくとも接続対象物ＦのランドＦ２に接触して電源接続を形成する。
電源コンタクト４、５の材質としては、バネ性や導電性などが要求されるので、黄銅やベリリウム銅やリン青銅等を挙げることができる。
【００３２】
押圧部材６は、信号コンタクト２、３及び電源コンタクト４、５に対して押圧可能な形状部位を有するものである。押圧部材６は電気絶縁性のプラスチックであり、公知技術の射出成形によって製作されている。具体的に、押圧部材６の材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００３３】
そして、本発明の構成上の主な特徴は、少なくとも１対の電源コンタクト４、５の適正化を図ることにあり、より具体的には、少なくとも１対の電源コンタクト４、５は、ハウジング１の、所要数の信号コンタクト２、３を挟む両端側位置に、信号コンタクト２、３と並んで保持され、厚さ寸法が、信号コンタクト２、３の厚さ寸法よりも大きく、押圧部材６によって信号コンタクト２、３と共に一緒に押圧されるように構成され、電源接続機能を備え、少なくとも１対の電源コンタクト４、５は、電源接続機能だけではなく、信号コンタクト２、３に対する接続対象物Ｆの正規挿入位置での仮固定と、押圧部材６で押圧した状態での接続対象物Ｆの挟持固定との機能をも兼ね備える固定機能付き電源コンタクト４であることにある。この構成を採用することにより、コネクタ１００において、例えば０．５〜３．０Ａといった大電流を安定的に流すことが、コネクタ１００の抵抗値を上げることなく可能になると共に、接続対象物Ｆを係止するために別部材をハウジング１内に別途設ける必要がなくなる。これにより、コネクタ１００のハウジング１内に設ける部品を減じることができ、コネクタ１００の省スペース化を達成することができるようになる。
さらに、少なくとも１対の電源コンタクト４、５は、１対の固定機能付き電源コンタクト４と、１対の固定機能付き電源コンタクト４及び所要数の信号コンタクト２、３の間にそれぞれ位置する少なくとも１対の単純電源コンタクト（ＮＰＣ）５とで構成されると、コネクタ１００の抵抗値をさらに抑制しつつ、大電流を流すことができる。
なお、単純電源コンタクト５は、固定機能付き電源コンタクト４の外側に、つまり、固定機能付き電源コンタクト４の信号コンタクト２、３とは反対側に、それぞれ位置していてもよい。
【００３４】
［固定機能付き電源コンタクト］
以下に、図２及び図３に基づいて、固定機能付き電源コンタクト４の第１実施形態について説明する。
固定機能付き電源コンタクト４は、接続対象物Ｆに対する電源接続機能と固定機能とを兼ね備え、ハウジング１において接続対象物Ｆの挿通方向Ｘに沿って保持されており、コンタクト２、３、４、５のハウジング１内での整列方向（幅方向）Ｙにおいて最も外側に１対で配置されている。固定機能付き電源コンタクト４は、ハウジング１の高さ方向Ｚに対向する内面に形成されて、壁部によって仕切られている溝のうち両端に位置する溝１２に圧入により保持されている。固定機能付き電源コンタクト４は、ハウジング１内に嵌合口１１とは反対側から挿入されている。
【００３５】
固定機能付き電源コンタクト４の厚さ寸法は、信号コンタクト２、３の厚さ寸法よりも大きく、具体的には、０．１０〜０．２０ｍｍであることが好ましい。
ここで「厚さ寸法」とは、コンタクト２、３、４、５の整列方向Ｙに沿った固定機能付き電源コンタクト４の厚さのことであり、換言すると、固定機能付き電源コンタクト４の母材の厚さのことである。
【００３６】
固定機能付き電源コンタクト４は、図１、図２及び図３（ａ）に示すように、接続対象物Ｆの両面のうち、少なくとも片面と接触する接触部（ＬＰＣ１）４１ａと、挿入された接続対象物Ｆに形成してなる被係止部Ｆ１に対応する位置に、被係止部Ｆ１に向かって突出する形状をもつ係止部（ＬＰＣ２）４２ａと、接触部４１ａ及び係止部４２ａを連結する連結部（ＬＰＣ５）４５ａと、連結部４５ａの一端側から接触部４１ａとは反対側に延在し、押圧部材６によって押圧される押受部（ＬＰＣ３）４３ａと、連結部４５ａの他端側から係止部４２ａとは反対側に延在し、基板に接続する接続部（ＬＰＣ４）４４ａと、を有する。
より具体的には、固定機能付き電源コンタクト４は、接触部４１ａを有する電源接続脚部４１と、係止部４２ａを有する係止脚部４２と、押受部４３ａを有する押受脚部４３と、接続部４４ａを有する接続脚部４４と、連結部４５ａを有する連結脚部４５と、を全体としてＨ字形になるように一体に備えている。特に、電源接続脚部４１、連結脚部４５及び接続脚部４４の位置関係は、略クランク形状を形成している。
電源接続脚部４１と係止脚部４２との間に接続対象物Ｆが挿入され、押受脚部４３と接続脚部４４との間で、押圧部材６の押圧部６１が回動可能に支持されている。
【００３７】
電源接続脚部４１は、接続対象物Ｆのランド部Ｆ２に接触して電源接続を可能にするものである。
電源接続脚部４１は、ハウジング１の上壁部１ａ側の溝１２にあり、連結脚部４５に対して、ハウジング１の嵌合口１１側に位置している。つまり、電源接続脚部４１は、連結脚部４５から嵌合口１１に向かって延在している。電源接続脚部４１の嵌合口１１側の先端部は、溝１２の底面から浮いた状態にあり、接続対象物Ｆの両面のうち、少なくとも片面と接触する接触部４１ａを有している。接触部４１ａは、接続対象物Ｆと接触し易いように、係止脚部４２に向かって突出する形状を有している。
押圧部材６の押圧解除完了位置ＯＰから押圧完了位置ＣＰへの移動時に、電源接続脚部４１は接続対象物Ｆに向かって押圧されて確実にかつ安定的に電気的に接触するようになる。
【００３８】
係止脚部４２は、図１（ｂ）に示すように、接続対象物Ｆに形成されている被係止部Ｆ１と係合して、正規挿入位置にある接続対象物Ｆを仮固定して不都合な抜けを抑制するものである。
係止脚部４２は、ハウジング１の下壁部１ｂ側の溝１２において電源接続脚部４１に対向する側にあり、連結脚部４５に対して、ハウジング１の嵌合口１１側に位置している。つまり、係止脚部４２は、連結脚部４５から嵌合口１１に向かって延在している。また、係止脚部４２は、その電源接続脚部４１に対向する側の表面部分が、全長にわたって露出した状態で溝１２に保持されている。つまり、係止脚部４２は、嵌合口１１側からその全長が視認できるように、溝１２に保持されている。
係止脚部４２は、ハウジング１に挿入された接続対象物Ｆに形成してなる被係止部Ｆ１に対応する位置に、被係止部Ｆ１に向かって突出する形状をもつ係止部４２ａを有している。つまり、接続対象物Ｆの挿入が終了した際の被係止部Ｆ１に対応する位置に、係止部４２ａが設けられている。係止部４２ａは、係止脚部４２の先端部側に設けられていて、係止脚部４２の先端部からテーパ状に上方に傾斜して、途中で略垂直に係止脚部４２に戻るように形成されている。係止脚部４２の係止部４２ａは、保持されているハウジング１の下壁部１ｂ側の溝１２から上壁部１ａに向かって突出している。
固定機能付き電源コンタクト４は、係止部４２ａと連結部４５ｂとの間に、接続対象物Ｆと接触する対向接触部（ＬＰＣ６）４２ｂを有する。具体的には、対向接触部４２ｂは、ハウジング１の高さ方向Ｚにおいて、電源接続脚部４１の接触部４１ａに対向する位置で、電源接続脚部４１の接触部４１ａが接続対象物Ｆに接触する面とは反対側の面で接続対象物Ｆに接触する。対向接触部４２ｂは、電源接続脚部４１の接触部４１ａに向かって突出する形状を有する。
係止脚部４２の対向接触部４２ｂは、接続対象物Ｆに接触すれば、電源接続脚部４１の接触部４１ａと、ハウジング１の高さ方向Ｚに対面する位置から係止脚部４２の延在方向にずれた位置に設けてもよい。
なお、係止部４２ａの形状・大きさは、接続対象物Ｆの被係止部Ｆ１と係合できればよく、接続対象物Ｆの保持力や強度や加工性やコネクタ１００の低背化等を考慮して適宜設計すればよい。
【００３９】
押受脚部４３は、押圧部材６の押圧部６１によって押圧されて、上方に変位する部分である。
押受脚部４３は、ハウジング１の上壁部１ａ側で接続脚部４４に対向する側にあり、連結脚部４５に対して、ハウジング１の嵌合口１１とは反対側に位置している。つまり、押受脚部４３は、連結脚部４５から嵌合口１１とは反対側に延在している。
押受脚部４３が、押圧部材６によって押圧される押受部４３ａを有している。
押受部４３ａの、押圧部材６の押圧部６１が少なくとも押圧する部分が、コネクタ１００の低背化を考慮して、フラットに形成されていることが好ましい。この構成により、押圧部材６は、ハウジング１に支持される所定の軸部を有することなく、押圧解除完了位置ＯＰと押圧完了位置ＣＰとの間を回動可能である。つまり、押圧部材６の押圧部６１の回動軸線は、押圧部材６の回動に伴い、回動軸線が押受脚部４３のフラットに形成された部分、つまり押受部４３ａに沿って移動することができる。
さらに、押受部４３ａの先端部に、押圧部材６の押圧による反発力に起因して、押圧部材６がハウジング１の嵌合口１１とは反対側の方向に膨れ移動することを防止する膨れ防止手段を有することが好ましい。具体的には、押受脚部４３の先端部分に、押圧部材６の膨れ移動するのを防止するための、接続脚部４４に向かって突出する突出部４３ｂが設けられている。押圧部材６の回動の際に押圧部材６の、ハウジング１の幅方向Ｙにおける中央部が、ハウジング１の嵌合口１１とは反対側の方向に膨れる傾向がある。しかし、かかる傾向を押受脚部４３の突出部４３ｂにおいて防ぐことができる。
突出部４３ｂの大きさは、上記の役割を果たすことができれば限定せず、押圧部材６の押圧部６１が引っ掛かる程度に適宜設計すればよい。また、膨れ防止手段としては、上記の構成以外にも、溝（凹部）を設けて、押圧部６１を受容するようにしてもよい。
【００４０】
なお、突出部４３ｂが設けられている場合、「押圧部材６の押圧部６１が少なくとも押圧する部分が、フラットに形成されている」とは、押受脚部４３の突出部４３ｂが形成されている以外の部分が平坦に形成されている、ということである。また、「平坦」とは、押圧部材６が回動した際に回動軸線が移動できればよく、凹凸がないだけでなく、多少波うっていても、湾曲していても、多少凹凸があってもよい。
【００４１】
接続脚部４４は、基板に実装される部分である。
接続脚部４４は、ハウジング１の下壁部１ｂ側の溝１２において押受脚部４３に対向する側にあり、連結脚部４５に対して、ハウジング１の嵌合口１１とは反対側に位置している。つまり、接続脚部４４は、連結脚部４５から嵌合口１１とは反対側に延在している。接続脚部４４は、基板に接続する接続部４４ａを有している。接続部４４ａは、接続脚部４４の先端側で押受脚部４３を臨む側とは反対側に形成されている。接続部４４ａは、図示の実施形態においては、表面実装タイプ（ＳＭＴ）であるが、ディップタイプでもあってもよい。
コネクタ１００の低背化を考慮して、接続脚部４４の、押圧部材６の押圧部６１が少なくとも押圧する部分がフラットに形成されていることが好ましい。フラットに形成することにより奏する効果は、押受脚部４３の押受部４３ａと同じである。
【００４２】
固定機能付き電源コンタクト４の、接続部４４ａと連結部４５ａとの間に位置する部分は、幅寸法が、固定機能付き電源コンタクト４の厚さ寸法以上であることが好ましい。具体的には、接続脚部４４の、連結脚部４５から少し間隔をおいて接続部４４ａまで延在する部分の、ハウジング１の高さ方向Ｚにおける寸法が、固定機能付き電源コンタクト４の、ハウジング１の幅方向Ｙにおける寸法以上である。
さらに、接続脚部４４の先端部分には、膨れ移動するのを防止するための膨れ防止手段、具体的には、押受脚部４３に向かって突出する突出部（図示せず）が設けられていてもよい。接続脚部４４の突出部の構成、機能及び態様については、押受脚部４３の突出部４３ｂと同じである。
また、膨れ防止手段としては、上記の構成以外にも、溝（凹部）を設けて、押圧部６１を受容するようにしてもよい。なお、膨れ防止手段については、押受脚部及び接続脚部の少なくとも一方に設けてあればよい。
【００４３】
連結脚部４５は、電源接続脚部４１、係止脚部４２、押受脚部４３及び接続脚部４４に互いに連結する連結部５５ａを有している。連結部４５ａは、説明の便宜上、各脚部４１〜４４を互いに連結するものとして記載するが、固定機能付き電源コンタクト４は一部材であり、連結脚部４５との明確な区別はなく、さらに、上記の各脚部４１〜４５の境の明確な区別もない。
【００４４】
固定機能付き電源コンタクト４は、接触部４１ａと押受部４３ａとの間に、ハウジング１の内面に向かって突出する形状をもち、ハウジング１に圧入固定される圧入固定部４６を有する。圧入固定部４６は、ハウジング１の上壁部１ａに向かって突出して形成されている。これにより、固定機能付き電源コンタクト４は、ハウジング１内においてハウジング１の高さ方向Ｙにおいて圧入保持されて、挿入位置を維持する。
【００４５】
なお、電源接続脚部４１と、係止脚部４２との位置関係は逆であってもよい。つまり、電源接続脚部４１が、ハウジング１の下壁部１ｂ側の溝１２にあり、係止脚部４２が、ハウジング１の上壁部１ａ側の溝１２にあってもよい。
【００４６】
次に、図３（ｂ）に基づいて、固定機能付き電源コンタクトの第２実施形態を説明する。
以下、上記の第１実施形態の固定機能付き電源コンタクト４と同一の又は類似する機能を有する構成についてはその説明を省略し、異なる構成を中心に説明する。
第２実施形態の固定機能付き電源コンタクト４Ａは、ハウジング１内に嵌合口１１側から挿入される。
固定機能付き電源コンタクト４Ａは、接続対象物Ｆの両面のうち、少なくとも片面と接触する接触部４１Ａａと、挿入された接続対象物Ｆに形成してなる被係止部Ｆ１に対応する位置に、被係止部Ｆ１に向かって突出する形状をもつ係止部４２Ａａと、接触部４１Ａａ及び係止部４２Ａａを連結する連結部４５Ａａと、連結部４５Ａａの一端側から接触部４１ａとは反対側に延在し、押圧部材６によって押圧される押受部４３Ａａと、係止部４２Ａａから嵌合口１１側に向かって延在し、基板に接続する接続部４４Ａａと、を有する。
また、固定機能付き電源コンタクト４Ａは、第１実施形態の固定機能付き電源コンタクト４と同様に、接触部４１Ａａを有する電源接続脚部４１Ａと、係止部４２Ａａを有する係止脚部４２Ａと、押受部４３Ａａを有する押受脚部４３Ａと、接続部４４Ａａを有する接続脚部４４Ａと、連結部４５Ａａを有する連結脚部４５Ａと、を全体としてｈ字形状になるように一体に備えている。
固定機能付き電源コンタクト４Ａの接続脚部４４Ａは、係止脚部４２Ａの先端側から連結脚部４５Ａとは反対側で、係止脚部４２Ａの、係止部４２Ａａよりさらに先端側に位置している。また、係止脚部４２Ａ及び接続脚部４４Ａは、その電源接続脚部４１Ａに対向する側の表面部分が、全長にわたって露出した状態で溝１２に保持されている。つまり、係止脚部４２及び接続脚部４４Ａは、嵌合口１１側からその全長が視認できるように、溝１２に保持されている。
固定機能付き電源コンタクト４Ａにおいて、押圧部材６は、押受脚部４３Ａとハウジング１の下壁部１ｂとの間で支持されている。この場合、ハウジング１の下壁部１ｂの押圧部材６を支持する部分は、フラットに形成されていることが好ましい。
なお、図示されていないが、固定機能付き電源コンタクト４Ａは、ハウジング１の高さ方向Ｚにおいて係止脚部４２Ａと同じ側で、固定機能付き電源コンタクト４Ａの押受脚部４３Ａに対向する側に、延在脚部を有していてもよい。この延設脚部は、押圧部材６の押圧部６１の回動を押受脚部４３Ａと共に支持するものである。この場合、押圧部材６の押圧部６１を支持する部分は、フラットに形成されていることが好ましい。
また、固定機能付き電源コンタクト４Ａは、接触部４１Ａａと押受部４３Ａａとの間に、ハウジング１の内面に向かって突出する形状をもち、ハウジング１に圧入固定される圧入固定部４６Ａを有する。
【００４７】
本発明のコネクタ１００においては、固定機能付き電源コンタクト４が使用されているが、固定機能付き電源コンタクト４及び固定機能付き電源コンタクト４Ａの少なくとも一方を使用することができる。
【００４８】
［単純電源コンタクト］
次に、図４に基づいて、単純電源コンタクト５について説明する。単純電源コンタクト５は、電源接続機能のみを主たる機能として備え、固定機能付き電源コンタクト４のような固定機能は備えていない。
なお、単純電源コンタクト５の、固定機能付き電源コンタクト４が有する部分と同じ名称の部分は、その構成及び機能において固定機能付き電源コンタクト４と同じあるので説明を省略する。
単純電源コンタクト５の厚さ寸法は、信号コンタクト２、３の厚さ寸法よりも大きく、具体的には、０．１０〜０．２０ｍｍであることが好ましい。
ここで「厚さ寸法」とは、固定機能付き電源コンタクト４と同じ意味である。
単純電源コンタクト５は、接続対象物Ｆに対する電源接続機能を備え、コンタクトの整列方向Ｙにおいて、信号コンタクト２、３と固定機能付き電源コンタクト４；４Ａとの間に配置されている。単純電源コンタクト５は、ハウジング１の高さ方向Ｚに対向する内面に形成されて、壁部によって仕切られている溝のうち溝１３（図７参照）に圧入により保持されている。単純電源コンタクト５は、ハウジング１内に嵌合口１１とは反対側から挿入される。
【００４９】
単純電源コンタクト５は、正規挿入位置にある接続対象物Ｆの両面のうち、少なくとも片面と接触する接触部（ＮＰＣ１）５１ａと、押圧部材６によって押圧される押受部（ＮＰＣ２）５２ａと、基板に接続する接続部（ＮＰＣ３）５３ａと、接触部５１ａ、押受部５２ａ及び接続部５３ａを連結する連結部（ＮＰＣ４）５４ａと、を有し、接触部５１ａ及び押受部５２ａは、連結部５４ａの一端側から互いに反対側に延在し、接続部５３ａは、連結部５４ａの他端側から嵌合口１１とは反対側に延在し、接触部５１ａは連結部５４ａの他端側から嵌合口１１側に向かって延在している。
より具体的には、単純電源コンタクト５は、接触部５１ａを有する電源接続脚部５１と、押受部５２ａを有する押受脚部５２と、接続部５３ａを有する接続脚部５３と、連結部５３ａを有する連結脚部５４と、を全体として一体に備えている。さらに、単純電源コンタクト５は、固定機能付き電源コンタクト４、４Ａとは異なり、係止脚部を有しておらず、代わりに、連結脚部５４の一端側から嵌合口１１側に向かって延在する延在脚部５５を備えており、全体としてＨ字形状になっている。
さらに、単純電源コンタクト５は、接触部５１ａと押受部５２ａとの間に、ハウジング１の内面に向かって突出する形状をもち、ハウジング１に圧入固定される圧入固定部５６を有する。また、単純電源コンタクト５は、図示しないが、接触部５１ａとは異なる接続対象物Ｆの面に接触する対向接触部（ＮＰＣ５）を有していてもよい。また、単純電源コンタクト５の押受部５２ａの、押圧部材６が少なくとも押圧する部分が、フラットに形成されているとよい。また、単純電源コンタクト５は、押受部５２ａの先端部に、押圧部材６の押圧による反発力に起因して、押圧部材６がハウジング１の嵌合口１１とは反対側の方向に膨れ移動することを防止する膨れ防止手段、具体的には接続脚部５３に向かって突出する突出部５２ｂを有している。
【００５０】
なお、図示されていないが、単純電源コンタクト５の接続脚部５３を、延在脚部５５の位置に設けてもよく、つまり、単純電源コンタクト５は、連結部５４ａの他端側から嵌合口１１側に向かって延在していてもよい。
また、延在脚部５５は、その電源接続脚部５１に対向する側の表面部分が、全長にわたって露出した状態で溝１３に保持されている。つまり、延在脚部５５は、嵌合口１１側から、その全長が視認できるように、溝１３に保持されている。
また、電源接続脚部５１と、係止脚部５２との位置関係は逆であってもよい。つまり、電源接続脚部５１が、ハウジング１の下壁部１ｂ側の溝１３にあり、係止脚部５２が、ハウジング１の上壁部１ａ側の溝１３にあってもよい。
また、コネクタ１００が要求する電流を固定機能付き電源コンタクト４、４Ａだけで、所定の抵抗値の範囲内において達成できるのであれば、単純電源コンタクト５を設ける必要はない。
【００５１】
［信号コンタクト］
（第１信号コンタクト）
次に、図５に基づいて、第１信号コンタクト２について説明する。なお、第１信号コンタクト２の、固定機能付き電源コンタクト４が有する部分と同じ名称の部分は、その構成及び機能において固定機能付き電源コンタクト４と同じであるので説明を省略する。
所要数の第１信号コンタクト２が、ハウジング１に並列配置状態で保持されて、電源コンタクト４；４Ａ、５の間に配置されている。第１信号コンタクト２は、ハウジング１の高さ方向Ｚに対向する内面に形成されて、壁部によって仕切られている溝のうち溝１４に圧入により保持されている。第１信号コンタクト２は、ハウジング１内に嵌合口１１とは反対側から挿入される。
【００５２】
第１信号コンタクト２は、接続対象物Ｆと接触する接触脚部２１と、押圧部材６によって押圧される押受脚部２２と、基板に実装される接続脚部２３と、延設脚部２４と、各脚部２１〜２４を連結する連結脚部２５と、を全体としてＨ字形状になるように一体に備えている。
第１信号コンタクト２は、固定機能付き電源コンタクト４とは異なり、係止脚部を有しておらず、代わりに、連結脚部２５の一端側から嵌合口１１側に向かって延在する延在脚部２４を備えており、全体としてＨ字形状になっている。
第１信号コンタクト２において、接触脚部２１と延設脚部２４との間に接続対象物Ｆが挿入され、押受脚部２２と接続脚部２３との間で、押圧部材６の押圧部６１が回動可能に支持されている。
【００５３】
延設脚部２４は、その接触脚部２１に対向する側の表面部分が、全長にわたって露出した状態で溝１４に保持されている。具体的には、延設脚部２４は、その接触脚部２１に対向する側の表面部分が、全長にわたって露出した状態で、嵌合口１１側からその全長が視認できるように、溝１４に保持されている。
延設脚部２４の、接触脚部２１を臨む側で、接触脚部２１に対向する位置に接続対象物Ｆと接触する接触部を設けてもよい。つまり、第１信号コンタクト２は、接触脚部２１と延設脚部２４において、接続対象物Ｆを挟持するようにしてもよい。延設脚部２４は、接触脚部２１の構成と同じであり、接続対象物Ｆと接触する対向接触部２４ａを有する。対向接触部２４ａは、接続対象物Ｆと接触し易いように突部形状を有し、接触脚部２１に向かって突出している。
また、第１信号コンタクト２は、接触脚部２１と押受脚部２２との間に、ハウジング１の内面に向かって突出する形状をもち、ハウジング１に圧入固定される圧入固定部２６を有する。
【００５４】
（第２信号コンタクト）
次に、図６に基づいて、第２信号コンタクト３を説明する。なお、第２信号コンタクト３の、第１信号コンタクト２が有する部分と同じ名称の部分は、その構成及び機能において第１信号コンタクト２と同じであるので説明を省略する。
所要数の第２信号コンタクト３が、ハウジング１に並列配置状態で保持されて、電源コンタクト４；４Ａ、５の間に配置されている。第２信号コンタクト３は、ハウジング１の高さ方向Ｚに対向する内面に形成されて、壁部によって仕切られている溝のうち溝１５に圧入により保持されている。第２信号コンタクト３は、ハウジング１内に嵌合口１１側から挿入される。
【００５５】
第２信号コンタクト３は、接続対象物Ｆと接触する接触脚部３１と、押圧部材６によって押圧される押受脚部３２と、基板に実装される接続脚部３３と、延設脚部３４と、各脚部３１〜３４を連結する連結脚部３５と、を全体としてＨ字形状になるように一体に備えている。
第２信号コンタクト３は、第１信号コンタクト２とは異なり、第１信号コンタクト２の延在脚部２４の位置に接続脚部３３が位置し、第１信号コンタクト２の接続脚部２３の位置に延在脚部３４が位置している。
第２信号コンタクト３においては、接触脚部３１と接続脚部３３との間に接続対象物Ｆが挿入され、押受脚部３２と延設脚部３４との間で、押圧部材６の押圧部６１が回動可能に支持されている。
接続脚部３３は、接続対象物Ｆと接触する対向接触部３３ａを有する。対向接触部３３ａは、接続対象物Ｆと接触し易いように突部形状を有し、接触脚部３１に向かって突出している。
【００５６】
［ハウジング］
次に、図７に基づいて、ハウジング１の具体的な構成を説明する。
ハウジング１は、ハウジング１の高さ方向Ｚに対向して位置する上壁部１ａと下壁部１ｂ、及び上壁部１ａと下壁部１ｂとを連結する２つの側壁部１ｃを有する。ハウジング１の嵌合口１１は、上壁部１ａと、下壁部１ｂと２つの側壁部１ｃとによって区画形成されている。
【００５７】
ハウジング１は、信号コンタクト２、３、固定機能付き電源コンタクト４、４Ａ及び単純電源コンタクト５をそれぞれ保持する複数の溝を有する。
これらの溝は、ハウジング１の高さ方向Ｚに対向する上壁部１ａ及び下壁部１ｂの内面のそれぞれ対向する位置に、固定機能付き電源コンタクト４；４Ａを保持する溝１２、単純電源コンタクト５を保持する溝１３、及び信号コンタクト２、３を保持する溝１４、１５として形成されている。各溝１２、１３、１４、１５はそれぞれ、コンタクト２、３、４；４Ａ、５の延在方向（Ｘ方向）において、ハウジング１を貫通して形成されている。
信号コンタクト２、３、固定機能付き電源コンタクト４；４Ａ及び単純電源コンタクト５はそれぞれ、対応する溝１４、１５、１２、１３内に、例えば圧入、引っ掛け（ランス）又は溶着等によって固定されている。
【００５８】
また、ハウジング１の幅方向Ｙにおけるハウジング１の両側、つまり側壁部１ｃには、押圧部材６を回動可能に支持する凹部状の支持部１６が設けられている。この支持部１６の形状や大きさは、押圧部材６が回動できるようにハウジング１に装着されていればよく、押圧部材６の役割やハウジング１の強度や大きさ等を考慮して適宜設計する。
【００５９】
さらにハウジング１の上壁部１ａには、切欠部１７が形成されている。切欠部１７により、押圧部材６が押圧解除完了位置ＯＰから押圧完了位置ＣＰへの移動時に、第１及び第２信号コンタクト２、３及び電源コンタクト４；４Ａ、５を押圧する際、各コンタクト２、３、４；４Ａ、５の押受脚部２２、３２、４３；４３Ａ、５２の上方への変位は妨げられない。さらに、切欠部１７を設けることで、コネクタ１００の低背も可能になる。切欠部１７の大きさは、上記役割やコネクタ１００の低背化や加工性や強度等を考慮して適宜設計する。
【００６０】
［押圧部材］
次に、図８に基づいて、押圧部材６について説明する。
押圧部材６は、接続対象物Ｆのハウジング１への挿抜可能にする押圧解除完了位置ＯＰ（図１（ａ）参照）と、接続対象物Ｆに対する第１及び第２信号コンタクト２、３、固定機能付き電源コンタクト４；４Ａ及び単純電源コンタクト５の押圧接触状態を安定保持する押圧完了位置ＣＰ（図１（ｂ）参照）と、の間を回動する。
押圧部材６は、図示の実施形態では、第１及び第２信号コンタクト２、３の押受脚部２２、３２、固定機能付き電源コンタクト４；４Ａの押受脚部４３；４３Ａ、及び単純電源コンタクト５の押受脚部５３を押圧する押圧部６１と、ハウジング１の嵌合口１１とは反対側で側壁部１１ｃの支持部１６に回動可能に装着される軸部分６２と、第１及び第２信号コンタクト２、３の押受脚部２２、３２、固定機能付き電源コンタクト４；４Ａの押受脚部４３；４３Ａ、及び単純電源コンタクト５の押受脚部５３が、個別に係合する複数の係合孔６３と、を備えている。
【００６１】
押圧部６１は、第１信号コンタクト２の押受脚部２２、第２信号コンタクト３の押受脚部３２、固定機能付き電源コンタクト４；４Ａの押受脚部４３；４３Ａ、及び単純電源コンタクト５の押受脚部５２を押圧して上方に押し上げる部分である。
押圧部６１は、第１信号コンタクト２の押受脚部２２と接続脚部２４との間、第２信号コンタクト３の押受脚部３２と延設脚部３４との間、固定機能付き電源コンタクト４の押受脚部４３と接続脚部４４との間、及び単純電源コンタクト５の押受脚部５２と接続脚部５３との間に、回動可能に支持されている。
なお、第２実施形態の固定機能付き電源コンタクト４Ａを用いた場合、押圧部６１は、延設脚部を備える場合には、押受脚部４３Ａと延設脚部との間に回動可能に支持されており、延設脚部を備えていない場合には、押受脚部４３Ａとハウジング１の対応する下壁部１ｂとの間に、回動可能に支持されている。
押圧部６１の、少なくとも第１及び第２信号コンタクト２、３、固定機能付き電源コンタクト４；４Ａ、及び単純電源コンタクト５、又はハウジング１の下壁部１ｂと接触する部分が、円弧部分６１ａを有しているとよい（図２（ｂ）参照）。具体的には、円弧部分６１ａは、押圧部材６の押圧解除完了位置ＯＰと押圧完了位置ＣＰとの間の回動範囲に対応して形成されている。この円弧部分６１ａの曲率は一定であっても、また変化していてもよい。また、押圧部６１の形状は長軸及び短軸を有するものであり、例えば細長形状や、楕円形状にしてもよい。
【００６２】
軸部分６２は、ハウジング１の側壁部１１ｃの支持部１６に嵌着されていて、押圧部材６の押圧解除完了位置ＯＰと押圧完了位置ＣＰとの間の回動運動をスムーズに行わせるためのものである。
押圧部６１が、第１及び第２信号コンタクト２、３、固定機能付き電源コンタクト４；４Ａ、及び単純電源コンタクト５において適切に支持されて、押圧部材６の回動運動が支障なく行うことができれば、軸部分６２は設けなくてもよい。
【００６３】
係合孔６３は、押圧部材６の回動の際に、押圧部材６の中央部が、嵌合口１１とは反対側に膨れてしまうことを防ぐようにするためのものである。係合孔６３は、互いに壁部６３ａによって互いに仕切られて、別個独立に設けられている。係合孔６３を別個独立に設けることで、押圧部材６の剛性を向上させて、押圧部材６の回動時の押圧部材６の変形を防止することができる。
【００６４】
＜固定機能付き電源コンタクトの動作＞
次に、図２（ａ）及び図２（ｂ）に基づいて、上記の構成を有する固定機能付き電源コンタクト４の、押圧部材６による押圧時の動作について説明する。なお、図面を見やすくする観点から、接続対象物Ｆの図示は省略した。
接続対象物Ｆは、押圧部材６が押圧解除完了位置ＯＰにおいて、固定機能付き電源コンタクト４の電源接続脚部４１と、係止脚部４２との間に挿入可能である。接続対象物Ｆが挿入されると、電源接続脚部４１は接触部４１ａにおいて、接続対象物Ｆのランド部Ｆ２と電気的に接触している。押圧部材６が押圧解除完了位置ＯＰにある状態において、確かに、電源接続脚部４１は、接続対象物Ｆに電気的に接触しているが、その接触は安定的ではない。
【００６５】
そこで、押圧部材６を、図２（ｂ）に示す押圧完了位置ＣＰに移動させて、固定機能付き電源コンタクト６と接続対象物Ｆとの電気的な接続を安定的にし、かつ、接続対象物Ｆの抜去を確実に防止する状態にする。具体的には、押圧部材６が押圧解除完了位置ＯＰから押圧完了位置ＣＰに移動すると、固定機能付き電源コンタクト４の押受脚部４３が、押圧部材６の押圧部６１によって上方に押し上げられて傾斜変位する。この押受脚部４３の上方への変位に伴い、電源接続脚部４１が下方に傾斜変位する。この電源接続脚部４１の下方への変位に伴い、電源接続脚部４１はその接触部４１ａにおいて、接続対象物Ｆと押圧接触し、電気的に安定した接触がもたらされる。図２（ｂ）において、傾斜変位前の電源接続脚部４１及び押受脚部４３の位置を二点鎖線で示す。
【００６６】
また、この電源接続脚部４１の下方への変位に伴い、電源接続脚部４１はその接触部４１ａにおいて、接続対象物Ｆと押圧接触する。電源接続脚部４１による接続対象物Ｆの押圧により、接続対象物Ｆは、下方に押圧されているので、係止脚部４２の係止部４２ａは、接続対象物Ｆをその被係止部Ｆ１において確実に係止することにもなり、接続対象物Ｆの抜去を確実に防止している。これにより、電源接続脚部４１と接続対象物Ｆとのより安定的な電気的接触が達成される。
【実施例】
【００６７】
以下に、本発明の構成を有するコネクタ（実施例１）及びその他のコネクタ（比較例１）の、電源電流を流した場合の電圧降下に基づく抵抗値Ωについて比較した。
（実施例１）
実施例１の構成は以下の通りである。
ハウジングの両端に本発明の１対の固定機能付き電源コンタクト４を配置し、１対の固定機能付き電源コンタクト４と信号コンタクト２，３との間に１対の単純電源コンタクト５を配置した。固定機能付き電源コンタクト４及び単純電源コンタクト５は、並列に接続した。
・固定機能付き電源コンタクト４の厚さ：０．１２ｍｍ
・固定機能付き電源コンタクト４の電源電流の経路長さ：２．１０ｍｍ
・固定機能付き電源コンタクト４の抵抗値：１６．０ｍΩ
・単純電源コンタクト５の厚さ：０．１２ｍｍ
・単純電源コンタクト５の電源電流の経路長さ：２．１０ｍｍ
・単純電源コンタクト５の抵抗値：１６．０ｍΩ
・コネクタ全体の抵抗値：８．０ｍΩ
【００６８】
（比較例１）
比較例１の構成は以下の通りである。
ハウジングの両端に接続対象物を係止するためだけの１対のロック部材を配置し、１対のロック部材の間に、本発明の第１及び第２実施形態の信号コンタクトと同じ構成の第１及び第２電源コンタクトを配置した。比較例１では、信号コンタクトを通電用に用いた。
・第１電源コンタクトの厚さ：０．０８ｍｍ
・第１電源コンタクトの電源電流の経路長さ：２．６０ｍｍ
・第１電源コンタクトの抵抗値：２４．０ｍΩ
・第２電源コンタクトの厚さ：０．０８ｍｍ
・第２電源コンタクトの電源電流の経路長さ：３．４５ｍｍ
・第２電源コンタクトの抵抗値：３０．０ｍΩ
・並列接続した第１及び第２電源コンタクト全体の抵抗値：１３．０ｍΩ
【００６９】
ここで「電源電流の経路長さ」とは、電源コンタクトが接続対象物と接触する接触部から、電源コンタクトに沿った接続部までの長さのことである。
【００７０】
実施例１は、コネクタ全体の抵抗値が８．０ｍΩとなった。一方で、比較例１は、コネクタの抵抗値が１３．０ｍΩであった。このことからも、実施例１は、抵抗値を十分に抑えることができ（例えば１０ｍΩ以下）、コネクタとしての性能が高いことが分かった。
また、実施例１においては、比較例１で用いた１対のロック部材（厚さ：０．０８ｍｍ）を用いておらず、固定機能付き電源コンタクト４がロック部材の機能を兼ねているので、ロック部材を単独で設ける必要はない。そのため、実施例１では、外側及び単純電源コンタクトの厚さを、ロック部材の板厚分だけ厚くすることができ、十分に抵抗値Ωを下げることができた。
ロック部材を兼用した固定機能付き電源コンタクト４を用いたので、固定機能付き電源コンタクト４及び単純電源コンタクト５の厚さが大きくなったとしても、コネクタの芯数を増やす必要はなくなると共に、ロック部材を省略した分、ハウジング１内のコンタクト同士間のピッチを減じることができるので、コネクタのダウンサイジングを達成することができた。
【産業上の利用可能性】
【００７１】
本発明に従うコネクタによれば、コネクタ全体の抵抗値を抑えつつ大電流を流す電源接続機能と共に、接続対象物のハウジング内での仮固定を可能にする固定機能を兼備した電源コンタクトを備えることで、コネクタのダウンサイジングを達成することができた。
【符号の説明】
【００７２】
１      ハウジング
２、３  信号コンタクト
４      固定機能付き電源コンタクト
５      単純電源コンタクト
６      押圧部材
１１    嵌合口
４１    電源接続脚部
４１ａ  接触部
４２    係止脚部
４２ａ  係止部
４２ｂ  対向接触部
４３    押受脚部
４３ａ  押受部
４３ｂ  突出部
４４    接続脚部
４４ａ  接続部
４５    連結脚部
４５ａ  連結部
４６    圧入固定部
５１    電源接続脚部
５１ａ  接触部
５２    押受脚部
５２ａ  押受部
５３    接続脚部
５３ａ  接続部
５４    連結脚部
５４ａ  連結部
６１    押圧部
Ｆ      接続対象物
Ｆ１    被係止部
【図１】
2018137246.tif 000003
【図２】
2018137246.tif 000004
【図３】
2018137246.tif 000005
【図４】
2018137246.tif 000006
【図５】
2018137246.tif 000007
【図６】
2018137246.tif 000008
【図７】
2018137246.tif 000009
【図８】
2018137246.tif 000010